(57)【要約】【課題】熱源機が頻繁にＯＮ／ＯＦＦされることがないようにする。蓄熱運転終了時刻において蓄熱量を蓄熱目標量（満蓄）とする。【解決手段】熱源機ＮＯ．１の起動後、定期的に、ＴＢ＝〔ＱＴ−（ＱＲｘ＋ＱＳｘ）〕／Ｗ２として、熱源機ＮＯ．２の運転必要時間ＴＢを求め、蓄熱運転終了時刻ｔＥから熱源機ＮＯ．２の運転必要時間ＴＢを差し引いて、熱源機ＮＯ．２の運転開始時刻ｔｓ２を求める。ＱＴ：蓄熱目標量、Ｗ１：熱源機ＮＯ．１の定格能力、Ｗ２：熱源機ＮＯ．２の定格能力、ＱＲｘ：現在の蓄熱量、ＱＳｘ＝Ｗ１×Ｔｘ、Ｔｘ：蓄熱運転終了時刻ｔＥまでの時間。【選択図】  図７
2007255724.tif 000002
【特許請求の範囲】
【請求項１】
予め定められた蓄熱運転時間帯の蓄熱運転終了時刻に蓄熱槽内の蓄熱量が蓄熱目標量となるように熱源機の運転台数を制御する熱源機運転台数制御装置において、
前記蓄熱槽内の現在の蓄熱量を定期的に求める現在蓄熱量算出手段と、
前記現在の蓄熱量が求められる毎に、その求められた現在の蓄熱量と現在運転中の熱源機の前記蓄熱運転終了時刻までの連続運転によって貯えられるであろう蓄熱量との和を予想蓄熱量として求め、この予想蓄熱量と前記蓄熱目標量との差に基づいて前記蓄熱運転終了時刻において前記蓄熱槽内の蓄熱量を前記蓄熱目標量とするために必要な停止中の熱源機の連続運転時間を運転必要時間として求める運転必要時間算出手段と、
前記運転必要時間が求められる毎に、その運転必要時間に基づいて、停止中の熱源機の運転開始時刻を求める運転開始時刻算出手段と
を備えることを特徴とする熱源機運転台数制御装置。
【請求項２】
予め定められた蓄熱運転時間帯の蓄熱運転終了時刻に蓄熱槽内の蓄熱量が蓄熱目標量となるように少なくとも第１の熱源機および第２の熱源機の運転台数を制御する熱源機運転台数制御装置において、
現在時刻が前記蓄熱運転時間帯の蓄熱運転開始時刻に達した場合、その時の前記蓄熱槽内の残蓄熱量と前記蓄熱目標量との差に基づいて、前記蓄熱運転終了時刻において前記蓄熱槽内の蓄熱量を前記蓄熱目標量とするために必要な前記第１の熱源機の連続運転時間を第１の熱源機の運転必要時間として求める第１の運転必要時間算出手段と、
前記第１の熱源機の運転必要時間が前記蓄熱運転時間帯の時間幅よりも長かった場合、前記第１の熱源機を直ちに起動する第１の熱源機起動手段と、
前記第１の熱源機の起動時点より、定期的に、その時の前記蓄熱槽内の蓄熱量と以降の前記蓄熱運転終了時刻までの前記第１の熱源機の連続運転によって貯えられるであろう蓄熱量との和を予想蓄熱量として求め、この予想蓄熱量と前記蓄熱目標量との差に基づいて前記蓄熱運転終了時刻において前記蓄熱槽内の蓄熱量を前記蓄熱目標量とするために必要な前記第２の熱源機の連続運転時間を第２の熱源機の運転必要時間として求める第２の運転必要時間算出手段と、
前記第２の熱源機の運転必要時間が求められる毎に、その第２の熱源機の運転必要時間を前記蓄熱運転終了時刻から差し引いて前記第２の熱源機の運転開始時刻を求める運転開始時刻算出手段と
を備えることを特徴とする熱源機運転台数制御装置。
【請求項３】
予め定められた蓄熱運転時間帯の蓄熱運転終了時刻に蓄熱槽内の蓄熱量が蓄熱目標量となるように少なくとも第１の熱源機および第２の熱源機の運転台数を制御する熱源機運転台数制御装置において、
現在時刻が前記蓄熱運転開始時刻に達した場合、その時の前記蓄熱槽内の残蓄熱量と前記蓄熱目標量との差に基づいて、前記蓄熱運転終了時刻において前記蓄熱槽内の蓄熱量を前記蓄熱目標量とするために必要な前記第１の熱源機の連続運転時間を第１の熱源機の運転必要時間として求める第１の運転必要時間算出手段と、
前記第１の熱源機の運転必要時間が前記蓄熱運転時間帯の時間幅よりも短かった場合、その時点より、定期的に、その時の前記蓄熱槽内の蓄熱量と前記蓄熱目標量との差に基づいて前記第１の熱源機の運転必要時間を求め、この第１の熱源機の運転必要時間を前記蓄熱運転終了時刻から差し引いて前記第１の熱源機の運転開始時刻を求める第１の運転開始時刻算出手段と、
前記第１の熱源機の起動時点より、定期的に、その時の前記蓄熱槽内の蓄熱量と以降の前記蓄熱運転終了時刻までの前記第１の熱源機の連続運転によって貯えられるであろう蓄熱量との和を予想蓄熱量として求め、この予想蓄熱量と前記蓄熱目標量との差に基づいて前記蓄熱運転終了時刻において前記蓄熱槽内の蓄熱量を前記蓄熱目標量とするために必要な前記第２の熱源機の連続運転時間を第２の熱源機の運転必要時間として求める第２の運転必要時間算出手段と、
前記第２の熱源機の運転必要時間が求められる毎に、その第２の熱源機の運転必要時間を前記蓄熱運転終了時刻から差し引いて前記第２の熱源機の運転開始時刻を求める第２の運転開始時刻算出手段と
を備えることを特徴とする熱源機運転台数制御装置。
【請求項４】
予め定められた蓄熱運転時間帯の蓄熱運転終了時刻に蓄熱槽内の蓄熱量が蓄熱目標量となるように熱源機の運転台数を制御する熱源機運転台数制御装置において、
現在時刻が前記蓄熱運転時間帯の蓄熱運転開始時刻に達した場合、その時の前記蓄熱槽内の残蓄熱量と前記蓄熱目標量との差に基づいて、前記蓄熱運転終了時刻において前記蓄熱槽内の蓄熱量を前記蓄熱目標量とするために必要な前記熱源機の連続運転時間をその熱源機の運転必要時間として求める運転必要時間算出手段と、
前記熱源機の運転必要時間が前記蓄熱運転時間帯の時間幅よりも短かった場合、その時点より、定期的に、その時の前記蓄熱槽内の蓄熱量と前記蓄熱目標量との差に基づいて前記熱源機の運転必要時間を求め、この熱源機の運転必要時間を前記蓄熱運転終了時刻から差し引いて前記熱源機の運転開始時刻を求める運転開始時刻算出手段と
を備えることを特徴とする熱源機運転台数制御装置。
【請求項５】
予め定められた蓄熱運転時間帯の蓄熱運転終了時刻に蓄熱槽内の蓄熱量が蓄熱目標量となるように熱源機の運転台数を制御する熱源機運転台数制御方法において、
前記蓄熱槽内の現在の蓄熱量を定期的に求める第１ステップと、
前記現在の蓄熱量が求められる毎に、その求められた現在の蓄熱量と現在運転中の熱源機の前記蓄熱運転終了時刻までの連続運転によって貯えられるであろう蓄熱量との和を予想蓄熱量として求め、この予想蓄熱量と前記蓄熱目標量との差に基づいて前記蓄熱運転終了時刻において前記蓄熱槽内の蓄熱量を前記蓄熱目標量とするために必要な停止中の熱源機の連続運転時間を運転必要時間として求める第２ステップと、
前記運転必要時間が求められる毎に、その運転必要時間に基づいて、停止中の熱源機の運転開始時刻を求める第３ステップと
を備えることを特徴とする熱源機運転台数制御方法。
【請求項６】
予め定められた蓄熱運転時間帯の蓄熱運転終了時刻に蓄熱槽内の蓄熱量が蓄熱目標量となるように少なくとも第１の熱源機および第２の熱源機の運転台数を制御する熱源機運転台数制御方法において、
現在時刻が前記蓄熱運転時間帯の蓄熱運転開始時刻に達した場合、その時の前記蓄熱槽内の残蓄熱量と前記蓄熱目標量との差に基づいて、前記蓄熱運転終了時刻において前記蓄熱槽内の蓄熱量を前記蓄熱目標量とするために必要な前記第１の熱源機の連続運転時間を第１の熱源機の運転必要時間として求める第１ステップと、
前記第１の熱源機の運転必要時間が前記蓄熱運転時間帯の時間幅よりも長かった場合、前記第１の熱源機を直ちに起動する第２ステップと、
前記第１の熱源機の起動時点より、定期的に、その時の前記蓄熱槽内の蓄熱量と以降の前記蓄熱運転終了時刻までの前記第１の熱源機の連続運転によって貯えられるであろう蓄熱量との和を予想蓄熱量として求め、この予想蓄熱量と前記蓄熱目標量との差に基づいて前記蓄熱運転終了時刻において前記蓄熱槽内の蓄熱量を前記蓄熱目標量とするために必要な前記第２の熱源機の連続運転時間を第２の熱源機の運転必要時間として求める第３ステップと、
前記第２の熱源機の運転必要時間が求められる毎に、その第２の熱源機の運転必要時間を前記蓄熱運転終了時刻から差し引いて前記第２の熱源機の運転開始時刻を求める第４ステップと
を備えることを特徴とする熱源機運転台数制御方法。
【請求項７】
予め定められた蓄熱運転時間帯の蓄熱運転終了時刻に蓄熱槽内の蓄熱量が蓄熱目標量となるように少なくとも第１の熱源機および第２の熱源機の運転台数を制御する熱源機運転台数制御方法において、
現在時刻が前記蓄熱運転開始時刻に達した場合、その時の前記蓄熱槽内の残蓄熱量と前記蓄熱目標量との差に基づいて、前記蓄熱運転終了時刻において前記蓄熱槽内の蓄熱量を前記蓄熱目標量とするために必要な前記第１の熱源機の連続運転時間を第１の熱源機の運転必要時間として求める第１ステップと、
前記第１の熱源機の運転必要時間が前記蓄熱運転時間帯の時間幅よりも短かった場合、その時点より、定期的に、その時の前記蓄熱槽内の蓄熱量と前記蓄熱目標量との差に基づいて前記第１の熱源機の運転必要時間を求め、この第１の熱源機の運転必要時間を前記蓄熱運転終了時刻から差し引いて前記第１の熱源機の運転開始時刻を求める第２ステップと、
前記第１の熱源機の起動時点より、定期的に、その時の前記蓄熱槽内の蓄熱量と以降の前記蓄熱運転終了時刻までの前記第１の熱源機の連続運転によって貯えられるであろう蓄熱量との和を予想蓄熱量として求め、この予想蓄熱量と前記蓄熱目標量との差に基づいて前記蓄熱運転終了時刻において前記蓄熱槽内の蓄熱量を前記蓄熱目標量とするために必要な前記第２の熱源機の連続運転時間を第２の熱源機の運転必要時間として求める第３ステップと、
前記第２の熱源機の運転必要時間が求められる毎に、その第２の熱源機の運転必要時間を前記蓄熱運転終了時刻から差し引いて前記第２の熱源機の運転開始時刻を求める第４ステップと
を備えることを特徴とする熱源機運転台数制御方法。
【請求項８】
予め定められた蓄熱運転時間帯の蓄熱運転終了時刻に蓄熱槽内の蓄熱量が蓄熱目標量となるように熱源機の運転台数を制御する熱源機運転台数制御方法において、
現在時刻が前記蓄熱運転時間帯の蓄熱運転開始時刻に達した場合、その時の前記蓄熱槽内の残蓄熱量と前記蓄熱目標量との差に基づいて、前記蓄熱運転終了時刻において前記蓄熱槽内の蓄熱量を前記蓄熱目標量とするために必要な前記熱源機の連続運転時間をその熱源機の運転必要時間として求める第１ステップと、
前記熱源機の運転必要時間が前記蓄熱運転時間帯の時間幅よりも短かった場合、その時点より、定期的に、その時の前記蓄熱槽内の蓄熱量と前記蓄熱目標量との差に基づいて前記熱源機の運転必要時間を求め、この熱源機の運転必要時間を前記蓄熱運転終了時刻から差し引いて前記熱源機の運転開始時刻を求める第２ステップと
を備えることを特徴とする熱源機運転台数制御方法。
【発明の詳細な説明】
【技術分野】
【０００１】
この発明は、予め定められた蓄熱運転時間帯の蓄熱運転終了時刻に蓄熱槽内の蓄熱量が蓄熱目標量となるように熱源機の運転台数を制御する熱源機運転台数制御装置および熱源機運転台数制御方法に関するものである。
【背景技術】
【０００２】
従来より、例えば２２：００から翌日の８：００までを蓄熱運転時間帯とし、この蓄熱運転時間帯の安価な電力（深夜電力）を使用して蓄熱槽への蓄熱を行うようにしている。例えば、大規模ビルなどでは、蓄熱槽に対して熱源機を複数台設け、この熱源機で生成される温水や冷水を蓄熱槽に貯め、翌日の空調時間帯にその蓄熱槽に貯められた温水や冷水を利用して室内の空調制御を行うようにしている。
【０００３】
図１４に特許文献１や特許文献２，３より考えられる従来の蓄熱運転の制御例を示す。同図において、ＴＳＥは蓄熱運転時間帯の時間幅、ｔＳは蓄熱運転開始時刻（例えば、２２：００）、ｔＥは蓄熱運転終了時刻（例えば、翌日の８：００）、ＱＲは蓄熱運転開始時刻ｔＳにおける残蓄熱量、ＱＴは蓄熱目標量である。この蓄熱運転の制御例では、現在時刻が蓄熱運転開始時刻ｔＳに達すると、熱源機が全数ＯＮ（全台運転）とされる。これにより、蓄熱槽への蓄熱が開始され、蓄熱槽内の蓄熱量が増大して行く。蓄熱槽内の蓄熱量が蓄熱目標量ＱＴに達した後は、蓄熱目標量ＱＴを維持するように、台数制御に切り替える。
【０００４】
【特許文献１】特開昭６１−２８５３３５号公報
【特許文献２】特開昭６０−８６４４号公報
【特許文献３】特開昭６０−８６４５号公報
【発明の開示】
【発明が解決しようとする課題】
【０００５】
しかしながら、図１４に示した従来の蓄熱運転の制御例によると、例えば夜間に２次負荷（空調負荷）が発生するなどして、蓄熱槽からの放熱が繰り返されるような場合、熱源機が頻繁にＯＮ／ＯＦＦされ、熱源機の寿命が短くなるという問題があった。また、蓄熱運転終了時刻ｔＥにおいて、蓄熱量が蓄熱目標量ＱＴ（満蓄）とならない場合があった。
【０００６】
本発明は、このような課題を解決するためになされたもので、その目的とするところは、熱源機が頻繁にＯＮ／ＯＦＦされることがなく、蓄熱運転終了時刻において蓄熱量を蓄熱目標量とすることが可能な熱源機運転台数制御装置および熱源機運転台数制御方法を提供することにある。
【課題を解決するための手段】
【０００７】
このような目的を達成するために、第１発明（請求項１に係る発明）は、予め定められた蓄熱運転時間帯の蓄熱運転終了時刻に蓄熱槽内の蓄熱量が蓄熱目標量となるように熱源機の運転台数を制御する熱源機運転台数制御装置において、蓄熱槽内の現在の蓄熱量を定期的に求める現在蓄熱量算出手段と、現在の蓄熱量が求められる毎に、その求められた現在の蓄熱量と現在運転中の熱源機の蓄熱運転終了時刻までの連続運転によって貯えられるであろう蓄熱量との和を予想蓄熱量として求め、この予想蓄熱量と蓄熱目標量との差に基づいて蓄熱運転終了時刻において蓄熱槽内の蓄熱量を蓄熱目標量とするために必要な停止中の熱源機の連続運転時間を運転必要時間として求める運転必要時間算出手段と、運転必要時間が求められる毎に、その運転必要時間に基づいて、停止中の熱源機の運転開始時刻を求める運転開始時刻算出手段とを設けたものである。
【０００８】
この発明によれば、定期的に、蓄熱槽内の現在の蓄熱量ＱＲｘが求められ、その求められた現在の蓄熱量ＱＲｘと現在運転中の熱源機の蓄熱運転終了時刻までの連続運転によって貯えられるであろう蓄熱量ＱＲｓとの和が予想蓄熱量として求められ、この予想蓄熱量（ＱＲｘ＋ＱＲｓ）と蓄熱目標量ＱＴとの差に基づいて蓄熱運転終了時刻において蓄熱槽内の蓄熱量を蓄熱目標量ＱＴとするために必要な停止中の熱源機の連続運転時間が運転必要時間として求められ、その運転必要時間に基づいて停止中の熱源機の運転開始時刻が求められる。例えば、現在運転中の熱源機を熱源機ＮＯ．１、停止中の熱源機を熱源機ＮＯ．２とした場合、熱源機ＮＯ．２の運転必要時間が求められ、この運転必要時間を蓄熱運転終了時刻から差し引いて、熱源機ＮＯ．２の運転開始時刻が求められる。この場合、熱源機ＮＯ．２の運転開始時刻は、２次負荷の発生により蓄熱槽からの放熱が生じると、早められる。すなわち、２次負荷の発生により蓄熱槽からの放熱が生じ、蓄熱量が減少すると、必要運転時間が長くなるので、熱源機ＮＯ．２の運転開始時刻が早められる。また、熱源機ＮＯ．１、ＮＯ．２共に、起動後は、蓄熱運転終了時刻まで連続して運転される。
【０００９】
第２発明（請求項２に係る発明）は、予め定められた蓄熱運転時間帯の蓄熱運転終了時刻に蓄熱槽内の蓄熱量が蓄熱目標量となるように少なくとも第１の熱源機および第２の熱源機の運転台数を制御する熱源機運転台数制御装置において、現在時刻が蓄熱運転時間帯の蓄熱運転開始時刻に達した場合、その時の蓄熱槽内の残蓄熱量と蓄熱目標量との差に基づいて、蓄熱運転終了時刻において蓄熱槽内の蓄熱量を蓄熱目標量とするために必要な第１の熱源機の連続運転時間を第１の熱源機の運転必要時間として求める第１の運転必要時間算出手段と、第１の熱源機の運転必要時間が蓄熱運転時間帯の時間幅よりも長かった場合、第１の熱源機を直ちに起動する第１の熱源機起動手段と、第１の熱源機の起動時点より、定期的に、その時の蓄熱槽内の蓄熱量と以降の蓄熱運転終了時刻までの第１の熱源機の連続運転によって貯えられるであろう蓄熱量との和を予想蓄熱量として求め、この予想蓄熱量と蓄熱目標量との差に基づいて蓄熱運転終了時刻において蓄熱槽内の蓄熱量を蓄熱目標量とするために必要な第２の熱源機の連続運転時間を第２の熱源機の運転必要時間として求める第２の運転必要時間算出手段と、第２の熱源機の運転必要時間が求められる毎に、その第２の熱源機の運転必要時間を蓄熱運転終了時刻から差し引いて第２の熱源機の運転開始時刻を求める運転開始時刻算出手段とを設けたものである。
【００１０】
第３発明（請求項３に係る発明）は、予め定められた蓄熱運転時間帯の蓄熱運転終了時刻に蓄熱槽内の蓄熱量が蓄熱目標量となるように少なくとも第１の熱源機および第２の熱源機の運転台数を制御する熱源機運転台数制御装置において、現在時刻が蓄熱運転開始時刻に達した場合、その時の蓄熱槽内の残蓄熱量と蓄熱目標量との差に基づいて、蓄熱運転終了時刻において蓄熱槽内の蓄熱量を蓄熱目標量とするために必要な第１の熱源機の連続運転時間を第１の熱源機の運転必要時間として求める第１の運転必要時間算出手段と、第１の熱源機の運転必要時間が蓄熱運転時間帯の時間幅よりも短かった場合、その時点より、定期的に、その時の蓄熱槽内の蓄熱量と蓄熱目標量との差に基づいて第１の熱源機の運転必要時間を求め、この第１の熱源機の運転必要時間を蓄熱運転終了時刻から差し引いて第１の熱源機の運転開始時刻を求める第１の運転開始時刻算出手段と、第１の熱源機の起動時点より、定期的に、その時の蓄熱槽内の蓄熱量と以降の蓄熱運転終了時刻までの第１の熱源機の連続運転によって貯えられるであろう蓄熱量との和を予想蓄熱量として求め、この予想蓄熱量と蓄熱目標量との差に基づいて蓄熱運転終了時刻において蓄熱槽内の蓄熱量を蓄熱目標量とするために必要な第２の熱源機の連続運転時間を第２の熱源機の運転必要時間として求める第２の運転必要時間算出手段と、第２の熱源機の運転必要時間が求められる毎に、その第２の熱源機の運転必要時間を蓄熱運転終了時刻から差し引いて第２の熱源機の運転開始時刻を求める第２の運転開始時刻算出手段とを設けたものである。
【００１１】
この発明（第２、第３発明）によれば、現在時刻が蓄熱運転開始時刻に達すると、その時の残蓄熱量ＱＲと蓄熱目標量ＱＴとの差（ＱＴ−ＱＲ）に基づいて、蓄熱運転終了時刻において蓄熱量を蓄熱目標量ＱＴとするために必要な第１の熱源機の連続運転時間が第１の熱源機の運転必要時間ＴＡとして求められる。例えば、第１の熱源機の定格能力（単位時間当たりの能力）をＷ１とした場合、第１の熱源機の運転必要時間ＴＡは、ＴＡ＝（ＱＴ−ＱＲ）／Ｗ１として求めることが可能である。ここで、第１の熱源機の運転必要時間ＴＡは、蓄熱運転時間帯の時間長ＴＳＥよりも長い場合と短い場合とが考えられる。第２発明は、第１の熱源機の運転必要時間ＴＡが蓄熱運転時間帯の時間長ＴＳＥよりも長い場合の制御について規定したものであり、第３発明は、第１の熱源機の運転必要時間ＴＡが蓄熱運転時間帯の時間長ＴＳＥよりも短い場合の制御について規定したものである。
【００１２】
〔第２発明〕
第２発明では、蓄熱運転開始時刻において、第１の熱源機が直ちに起動される。また、第１の熱源機の起動時点より、定期的（例えば、１分毎）に、その時の蓄熱槽内の蓄熱量ＱＲｘと以降の蓄熱運転終了時刻までの第１の熱源機の連続運転によって貯えられるであろう蓄熱量ＱＳｘとの和が予想蓄熱量として求められ、この予想蓄熱量（ＱＲｘ＋ＱＳｘ）と蓄熱目標量ＱＴとの差（ＱＴ−（ＱＲｘ＋ＱＳｘ））に基づいて、蓄熱運転終了時刻において蓄熱量を蓄熱目標量ＱＴとするために必要な第２の熱源機の連続運転時間が第２の熱源機の運転必要時間ＴＢとして求められる。また、第２の熱源機の運転必要時間ＴＢが求められる毎に、その第２の熱源機の運転必要時間ＴＢから第２の熱源機の運転開始時刻ｔｓ２が求められる。なお、第２の熱源機の運転必要時間ＴＢは、例えば、第１の熱源機の定格能力をＷ１、第２の熱源機の定格能力をＷ２、蓄熱運転終了時刻までの時間をＴｘとした場合、ＴＢ＝〔ＱＴ−（ＱＲｘ＋Ｗ１×Ｔｘ）〕／Ｗ２として求めることが可能である。
【００１３】
この第２発明において、第１の熱源機は、蓄熱運転開始時刻において起動された後は、蓄熱運転終了時刻に達するまで停止されない。また、第２の熱源機は、現在時刻が第２の熱源機の運転開始時刻ｔｓ２を過ぎて起動された後は、蓄熱運転終了時刻に達するまで停止されない。したがって、蓄熱槽からの放熱により蓄熱量が変化したとしても、熱源機が頻繁にＯＮ／ＯＦＦされるということはない。また、第１の熱源機のみの運転中の放熱により減少した蓄熱量分、蓄熱槽からの放熱による蓄熱量の変化が発生する毎に、第２の熱源機の運転開始時刻ｔｓ２が早まる。
【００１４】
〔第３発明〕
第３発明では、蓄熱運転開始時刻ｔＳより、定期的に、その時の蓄熱量ＱＲｘと蓄熱目標量ＱＴとの差（ＱＴ−ＱＲｘ）に基づいて第１の熱源機の運転必要時間ＴＡが求められ、この第１の熱源機の運転必要時間ＴＡから第１の熱源機の運転開始時刻ｔｓ１が求められる。そして、第１の熱源機の起動時点より、定期的（例えば、１分毎）に、その時の蓄熱槽内の蓄熱量ＱＲｘと以降の蓄熱運転終了時刻までの第１の熱源機の連続運転によって貯えられるであろう蓄熱量ＱＳｘとの和が予想蓄熱量として求められ、この予想蓄熱量（ＱＲｘ＋ＱＳｘ）と蓄熱目標量ＱＴとの差（ＱＴ−（ＱＲｘ＋ＱＳｘ））に基づいて、蓄熱運転終了時刻において蓄熱量を蓄熱目標量ＱＴとするために必要な第２の熱源機の連続運転時間が第２の熱源機の運転必要時間ＴＢとして求められる。また、第２の熱源機の運転必要時間ＴＢが求められる毎に、その第２の熱源機の運転必要時間ＴＢから第２の熱源機の運転開始時刻ｔｓ２が求められる。
【００１５】
この第３発明において、第１の熱源機は、現在時刻が第１の熱源機の運転開始時刻ｔｓ１を過ぎて起動された後は、蓄熱運転終了時刻に達するまで停止されない。また、第２の熱源機は、現在時刻が第２の熱源機の運転開始時刻ｔｓ２を過ぎて起動された後は、蓄熱運転終了時刻ｔＥに達するまで停止されない。したがって、蓄熱槽からの放熱により蓄熱量が変化したとしてもとしても、熱源機が頻繁にＯＮ／ＯＦＦされるということはない。また、第１の熱源機の運転停止中の放熱により減少した蓄熱量分、蓄熱槽からの放熱による蓄熱量の変化が発生する毎に、第１の熱源機の運転開始時刻ｔｓ１が早まる。また、第１の熱源機を起動した後は、第１の熱源機のみの運転中の放熱により減少した蓄熱量分、蓄熱槽からの放熱による蓄熱量の変化が発生する毎に、第２の熱源機の運転開始時刻ｔｓ２が早まる。
【００１６】
第４発明（請求項４に係る発明）は、予め定められた蓄熱運転時間帯の蓄熱運転終了時刻に蓄熱槽内の蓄熱量が蓄熱目標量となるように熱源機の運転台数を制御する熱源機運転台数制御装置において、現在時刻が蓄熱運転時間帯の蓄熱運転開始時刻に達した場合、その時の蓄熱槽内の残蓄熱量と蓄熱目標量との差に基づいて、蓄熱運転終了時刻において蓄熱槽内の蓄熱量を蓄熱目標量とするために必要な熱源機の連続運転時間をその熱源機の運転必要時間として求める運転必要時間算出手段と、熱源機の運転必要時間が蓄熱運転時間帯の時間幅よりも短かった場合、その時点より、定期的に、その時の蓄熱槽内の蓄熱量と蓄熱目標量との差に基づいて熱源機の運転必要時間を求め、この熱源機の運転必要時間を蓄熱運転終了時刻から差し引いて熱源機の運転開始時刻を求める運転開始時刻算出手段とを設けたものである。
この発明によれば、現在時刻が蓄熱運転時間帯の蓄熱運転開始時刻に達すると、その時の蓄熱槽内の残蓄熱量ＱＲと蓄熱目標量ＱＴとの差（ＱＴ−ＱＲ）に基づいて、蓄熱運転終了時刻において蓄熱量を蓄熱目標量ＱＴとするために必要な熱源機の連続運転時間がその熱源機の運転必要時間として求められる。ここで、その熱源機の運転必要時間が蓄熱運転時間帯の時間幅よりも短ければ、その時点より、定期的に、その時の蓄熱槽内の蓄熱量ＱＲｘと蓄熱目標量ＱＴとの差（ＱＴ−ＱＲｘ）に基づいて熱源機の運転必要時間が求められ、この熱源機の運転必要時間を蓄熱運転終了時刻から差し引いてその熱源機の運転開始時刻が求められる。
【００１７】
なお、本発明（第１〜第４発明）は、熱源機運転台数制御装置としてではなく、熱源機運転台数制御方法としても実現することが可能である。
【発明の効果】
【００１８】
本発明によれば、現在の蓄熱量が求められる毎に、その求められた現在の蓄熱量と現在運転中の熱源機の蓄熱運転終了時刻までの連続運転によって貯えられるであろう蓄熱量との和を予想蓄熱量として求め、この予想蓄熱量と蓄熱目標量との差に基づいて蓄熱運転終了時刻において蓄熱槽内の蓄熱量を蓄熱目標量とするために必要な停止中の熱源機の連続運転時間を運転必要時間として求め、この運転必要時間に基づいて停止中の熱源機の運転開始時刻を求めるようにしたので、熱源機の起動後は、蓄熱運転終了時刻までその熱源機を連続して運転するようにして、熱源機が頻繁にＯＮ／ＯＦＦされるということがないようにすることが可能となる。また、蓄熱槽からの放熱により減少した蓄熱量分、蓄熱槽からの放熱による蓄熱量の変化が発生する毎に、停止中の熱源機の運転開始時刻を早め、蓄熱運転終了時刻において蓄熱槽の蓄熱量を蓄熱目標量とすることが可能となる。
【発明を実施するための最良の形態】
【００１９】
以下、本発明を図面に基づいて詳細に説明する。図１は本発明に係る熱源機運転台数制御装置を用いた熱源機運転台数制御システムの一構成例を示す計装図である。
【００２０】
同図において、１は蓄熱槽、２−１は蓄熱槽１に対して設けられた第１の熱源機（熱源機ＮＯ．１）、２−２は蓄熱槽１に対して設けられた第２の熱源機（熱源機ＮＯ．２）、Ｐ１は熱源機２−１の補機として設けられた第１のポンプ、Ｐ２は熱源機２−２の補機として設けられた第２のポンプ、３は熱源機２（２−１，２−２）の運転台数を制御する本発明に係る熱源機運転台数制御装置、４は蓄熱槽１からの蓄熱水（冷水又は温水）が供給される負荷機器（空調機）、５は負荷機器４への蓄熱水の供給通路に設けられたポンプ、６は負荷機器４への蓄熱水の供給通路に設けられたバルブ、７はポンプ５やバルブ６を駆動することにより負荷機器４への蓄熱水の供給量を制御する空調機制御装置、８は蓄熱槽１内に設けられた温度センサである。
【００２１】
熱源機運転台数制御装置３は、プロセッサや記憶装置からなるハードウェアと、これらのハードウェアと協働して各種機能を実現させるプログラムとによって実現され、本実施の形態特有の機能として熱源機運転台数制御機能を有している。以下、図２および図３に分割して示したフローチャートに従って、熱源機運転台数制御装置３が有する熱源機運転台数制御機能について説明する。
【００２２】
なお、この熱源機運転台数制御機能において、熱源機運転台数制御装置３は、蓄熱槽１内に分散して設けられた温度センサ８からの検出温度に基づいて、蓄熱槽１の槽内の各領域の蓄熱量を算出し、この蓄熱量をトータルして蓄熱槽１内の現在の蓄熱量ＱＲｘ（ＧＪ）を演算する。また、蓄熱運転開始時刻ｔＳは２２：００として定められ、蓄熱運転終了時刻ｔＥは翌日の８：００として定められている。これにより、蓄熱運転時間帯の時間幅ＴＳＥは、１０時間＝６００分として求められる。また、蓄熱目標量はＱＴ（ＧＪ）として、第１の熱源機２−１の定格能力はＷ１（ＧＪ／分）として、第２の熱源機２−２の定格能力はＷ２（ＧＪ／分）として設定されている。
【００２３】
熱源機運転台数制御装置３は、現在の時刻が蓄熱運転開始時刻ｔＳに達すると（図２：ステップ１０１）、蓄熱目標量ＱＴを読み出すと共に（ステップ１０２）、現在の蓄熱量ＱＲｘを演算する（ステップ１０３）。この場合、現在の蓄熱量ＱＲｘとして、蓄熱運転開始時刻ｔＳにおける残蓄熱量ＱＲが求められる。
【００２４】
そして、熱源機運転台数制御装置３は、蓄熱目標量ＱＴと現在の蓄熱量ＱＲｘ（残蓄熱量ＱＲ）と熱源機２−１の定格能力Ｗ１とから、下記（１）式に従って、蓄熱運転終了時刻ｔＥにおける蓄熱槽１内の蓄熱量を蓄熱目標量ＱＴとするために必要な熱源機２−１の連続運転時間を熱源機２−１の運転必要時間ＴＡとして求める（ステップ１０４）。
ＴＡ＝（ＱＴ−ＱＲｘ）／Ｗ１  ・・・・(１)
【００２５】
そして、この求めた熱源機２−１の運転必要時間ＴＡと蓄熱運転時間帯の時間幅ＴＳＥとを比較し（ステップ１０５）、熱源機２−１の運転必要時間ＴＡが蓄熱運転時間帯の時間幅ＴＳＥよりも長かった場合には（ステップ１０５のＹＥＳ：ＴＡ≧ＴＳＥ）、ステップ１０６へ進み、熱源機２−１の運転必要時間ＴＡが蓄熱運転時間帯の時間幅ＴＳＥよりも短かった場合には（ステップ１０５のＮＯ：ＴＡ＜ＴＳＥ）、ステップ１１０へ進む。
【００２６】
〔ＴＡがＴＳＥよりも長かった場合（場合１）〕
熱源機運転台数制御装置３は、蓄熱運転開始時刻ｔＳにおいて、熱源機２−１の運転必要時間ＴＡが蓄熱運転時間帯の時間幅ＴＳＥよりも長かった場合（ステップ１０５のＹＥＳ）、熱源機２−１を直ちに起動する（ステップ１０６：図４参照）。
【００２７】
また、その時の蓄熱槽１内の蓄熱量ＱＲｘ（残熱量ＱＲ）と以降の蓄熱運転終了時刻ｔＥまでの熱源機２−１の連続運転によって貯えられるであろう蓄熱量Ｗ１×Ｔｘ（Ｔｘ＝ＴＳＥ）との和（ＱＲ＋Ｗ１×Ｔｘ）を予想蓄熱量として求め、下記（２）式に従って、蓄熱運転終了時刻ｔＥにおける蓄熱槽１内の蓄熱量を蓄熱目標量ＱＴとするために必要な熱源機２−２の連続運転時間を熱源機２−２の運転必要時間ＴＢとして求める（ステップ１０７）。
ＴＢ＝〔ＱＴ−（ＱＲｘ＋Ｗ１×Ｔｘ）〕／Ｗ２  ・・・・（２）
【００２８】
そして、この求めた熱源機２−２の運転必要時間ＴＢを蓄熱運転終了時刻ｔＥから差し引いて熱源機２−２の運転開始時刻ｔｓ２を算出し（ステップ１０８）、この算出した熱源機２−２の運転開始時刻ｔｓ２と現在時刻とを比較する（ステップ１０９）。ここで、現在時刻が熱源機２−２の運転開始時刻ｔｓ２を過ぎていれば（ステップ１０９のＹＥＳ）、図３のステップ１１７へ進み、現在時刻が熱源機２−２の運転開始時刻ｔｓ２を過ぎていなければ（ステップ１０９のＮＯ）、ステップ１１１へ進む。この例において、熱源機２−２の運転必要時間ＴＢは短く、熱源機２−２の運転開始時刻ｔｓ２を過ぎていないものとする（図４）。
【００２９】
熱源機運転台数制御装置３は、ステップ１１１において、次の実行周期を待つ。本実施の形態では、実行周期を１分としている。次の実行周期となると（ステップ１１１のＹＥＳ）、現在の蓄熱量ＱＲｘを演算する（図３：ステップ１１２）。そして、熱源機２−１が運転中であることを確認のうえ（ステップ１１３のＹＥＳ）、先のステップ１０７と同様にして上記（２）式に従って、熱源機２−２の運転必要時間ＴＢを求める（ステップ１１４）。この際、蓄熱運転終了時刻ｔＥまでの時間Ｔｘは、Ｔｘ＝ＴＳＥ−１とされる。また、現在の蓄熱量ＱＲｘは、蓄熱運転開始時刻ｔＳから１分経過後の蓄熱量とされる。
【００３０】
そして、先のステップ１０８，１０９と同様にして、今回求められた熱源機２−２の運転必要時間ＴＢから熱源機２−２の運転開始時刻ｔｓ２を算出し（ステップ１１５）、この算出した熱源機２−２の運転開始時刻ｔｓ２と現在時刻とを比較する（ステップ１１６）。ここで、現在時刻が熱源機２−２の運転開始時刻ｔｓ２を過ぎていなければ（ステップ１１６のＮＯ）、ステップ１１１へ戻り、同様動作を繰り返す。これにより、実行周期毎（定期的）に、上記（２）式における現在の蓄熱量ＱＲｘと蓄熱運転終了時刻ｔＥまでの時間Ｔｘを変えて、熱源機２−２の運転必要時間ＴＢと熱源機２−２の運転開始時刻ｔｓ２が求められる（図５参照）。
【００３１】
ここで、熱源機２−１のみの運転により蓄熱が行われており、２次負荷の発生などによって蓄熱槽１からの放熱が生じた場合を想定してみる。熱源機２−１の運転により蓄熱が行われている最中に、蓄熱槽１からの放熱により蓄熱量が減ると（図６に示すｔａ点）、次の実行周期で求められる熱源機２−１の運転必要時間ＴＢが長くなり、熱源機２−２の運転開始時刻ｔｓ２が早まる。
【００３２】
熱源機２−２の運転開始時刻ｔｓ２は、実行周期で求められる毎に現在時刻と比較され、現在時刻が熱源機２−２の運転開始時刻ｔｓ２を過ぎていれば（ステップ１１６のＹＥＳ：図７に示すｔｂ点）、その時点で熱源機２−２が起動される（ステップ１１７）。
【００３３】
上述した場合１の説明から分かるように、本実施の形態では、蓄熱運転開始時刻ｔＳにおける熱源機２−１の運転必要時間ＴＡが蓄熱運転時間帯の時間幅ＴＳＥよりも長かった場合、熱源機２−１は、蓄熱運転開始時刻ｔＳにおいて起動された後は、蓄熱運転終了時刻ｔＥに達するまで停止されない。また、熱源機２−２は、現在時刻が今回の実行周期で求められた熱源機２−２の運転開始時刻ｔｓ２を過ぎて起動された後は、蓄熱運転終了時刻ｔＥに達するまで停止されない。したがって、蓄熱槽１からの放熱により蓄熱量が変化したとしても、熱源機２（２−１，２−２）が頻繁にＯＮ／ＯＦＦされるということはない。
【００３４】
また、蓄熱槽１からの放熱が発生すると、次の実行周期で求められる熱源機２−２の運転必要時間ＴＢが長くなり、熱源機２−２の運転開始時刻ｔｓ２が早まり、熱源機２−１のみの運転中の放熱により蓄熱量が変化した場合でも、蓄熱運転終了時刻ｔＥにおいて蓄熱槽１の蓄熱量を蓄熱目標量ＱＴとすることが可能となる。
【００３５】
〔ＴＡがＴＳＥよりも短かった場合（場合２）〕
熱源機運転台数制御装置３は、蓄熱運転開始時刻ｔＳにおいて、熱源機２−１の運転必要時間ＴＡが蓄熱運転時間帯の時間幅ＴＳＥよりも短かった場合（図２：ステップ１０５のＮＯ）、蓄熱運転終了時刻ｔＥからその熱源機２−１の運転必要時間ＴＡを差し引いて熱源機２−１の運転開始時刻ｔｓ１を算出する（ステップ１１０：図８参照）。
【００３６】
そして、熱源機運転台数制御装置３は、ステップ１１１において、次の実行周期を待つ。次の実行周期となると（ステップ１１１のＹＥＳ）、現在の蓄熱量ＱＲｘを演算したうえ（図３：ステップ１１２）、熱源機２−１が運転中であるか判断する（ステップ１１３）。この場合、熱源機２−１は運転中ではないので（ステップ１１３のＮＯ）、ステップ１１８へ進む。
【００３７】
熱源機運転台数制御装置３は、ステップ１１８において、先のステップ１０４と同様にして上記（１）式に従って、熱源機２−１の運転必要時間ＴＡを求める。この際、蓄熱運転終了時刻ｔＥまでの時間Ｔｘは、Ｔｘ＝ＴＳＥ−１とされる。また、現在の蓄熱量ＱＲｘは、蓄熱運転開始時刻ｔＳから１分経過後の蓄熱量とされる。
【００３８】
そして、今回求められた熱源機２−１の運転必要時間ＴＡから熱源機２−１の運転開始時刻ｔｓ１を算出し（ステップ１１９）、この算出した熱源機２−１の運転開始時刻ｔｓ１と現在時刻とを比較する（ステップ１２０）。ここで、現在時刻が熱源機２−１の運転開始時刻ｔｓ１を過ぎていなければ（ステップ１２０のＮＯ）、ステップ１１１へ戻り、同様動作を繰り返す。これにより、実行周期毎（定期的）に、上記（１）式における現在の蓄熱量ＱＲｘを変えて、熱源機２−１の運転必要時間ＴＡと熱源機２−１の運転開始時刻ｔｓ１が求められる（図９参照）。
【００３９】
熱源機２−１の運転開始時刻ｔｓ１は、実行周期で求められる毎に現在時刻と比較され、現在時刻が熱源機２−１の運転開始時刻ｔｓ１を過ぎていれば（ステップ１２１のＹＥＳ：図１０に示すｔｃ点）、その時点で熱源機２−１が起動される（ステップ１２１）。
【００４０】
熱源機運転台数制御装置３は、熱源機２−１を起動すると同時に、上記（２）式に従って、熱源機２−２の運転必要時間ＴＢを求める（ステップ１１４）。そして、今回求められた熱源機２−２の運転必要時間ＴＢから熱源機２−２の運転開始時刻ｔｓ２を算出し（ステップ１１５）、この算出した熱源機２−２の運転開始時刻ｔｓ２と現在時刻とを比較する（ステップ１１６）。ここで、現在時刻が熱源機２−２の運転開始時刻ｔｓ２を過ぎていなければ（ステップ１１６のＮＯ）、ステップ１１１へ戻り、同様動作を繰り返す。
【００４１】
これにより、実行周期毎（定期的）に、上記（２）式における現在の蓄熱量ＱＲｘと蓄熱運転終了時刻ｔＥまでの時間Ｔｘを変えて、熱源機２−２の運転必要時間ＴＢと熱源機２−２の運転開始時刻ｔｓ２が求められる（図１１参照）。この場合、放熱による蓄熱量の減少がないものとすると、実行周期毎に求められる熱源機２−２の運転必要時間ＴＢはほゞ零となり、起動されることはない。
【００４２】
ここで、熱源機２−１が起動された後、２次負荷の発生などによって蓄熱槽１からの放熱が生じた場合を想定してみる。熱源機２−１により蓄熱が行われている最中に、蓄熱槽１からの放熱により蓄熱量が減ると（図１２に示すｔｄ点）、次の実行周期で求められる熱源機２−２の運転必要時間ＴＢが長くなり、熱源機２−２の運転開始時刻ｔｓ２が早まる。
【００４３】
熱源機２−２の運転開始時刻ｔｓ２は、実行周期で求められる毎に現在時刻と比較され、現在時刻が熱源機２−２の運転開始時刻ｔｓ２を過ぎていれば（ステップ１１６のＹＥＳ：図１３に示すｔｅ点）、その時点で熱源機２−２が起動される（ステップ１１７）。
【００４４】
また、図９に示した熱源機２−１の運転停止中、２次負荷の発生などによって蓄熱槽１からの放熱により蓄熱量が変化した場合を想定してみる。この場合、蓄熱槽１からの放熱により蓄熱量が減ると、次の実行周期で求められる熱源機２−１の運転必要時間ＴＡが長くなり、熱源機２−１の運転開始時刻ｔｓ１が早まる。熱源機２−１の運転開始時刻ｔｓ１は、実行周期で求められる毎に現在時刻と比較され、現在時刻が熱源機２−１の運転開始時刻ｔｓ１を過ぎているか否か判断する（ステップ１２０）。ここで、現在時刻が熱源機２−１の運転開始時刻ｔｓ１を過ぎていれば（ステップ１２０のＹＥＳ）、その時点で熱源機２−１が起動される。
【００４５】
上述した場合２の説明から分かるように、本実施の形態では、蓄熱運転開始時刻ｔＳにおける熱源機２−１の運転必要時間ＴＡが蓄熱運転時間帯の時間幅ＴＳＥよりも短かった場合、熱源機２−１は、現在時刻が今回の実行周期で求められた熱源機２−１の運転開始時刻ｔｓ１を過ぎて起動された後は、蓄熱運転終了時刻ｔＥに達するまで停止されない。また、熱源機２−２は、現在時刻が今回の実行周期で求められた熱源機２−２の運転開始時刻ｔｓ２を過ぎて起動された後は、蓄熱運転終了時刻ｔＥに達するまで停止されない。したがって、蓄熱槽１からの放熱により蓄熱量が変化したとしても、熱源機２（２−１，２−２）が頻繁にＯＮ／ＯＦＦされるということはない。
【００４６】
また、熱源機２−１の運転停止中、蓄熱槽１からの放熱による蓄熱量の変化が発生すると、次の実行周期で求められる熱源機２−１の運転必要時間ＴＡが長くなり、熱源機２−１の運転開始時刻ｔｓ１が早まり、蓄熱量の変化に追従できる。また、熱源機２−１を起動した後は、蓄熱槽１からの放熱による蓄熱量の変化が発生すると、次の実行周期で求められる熱源機２−２の運転必要時間ＴＢが長くなり、熱源機２−２の運転開始時刻ｔｓ２が早まり、蓄熱量の変化に追従できる。これにより、蓄熱運転終了時刻ｔＥにおいて蓄熱槽１の蓄熱量を蓄熱目標量ＱＴとすることが可能となる。
【００４７】
なお、上述した実施の形態では、熱源機２−１の運転必要時間ＴＡを求める際、ＴＡ＝（ＱＴ−ＱＲｘ）／Ｗ１なる式（（１）式）を使用するようにしたが、実際の現場では蓄熱槽１の容量や熱源機２−１の能力の変化などによって誤差が生じる場合があるので、補正時間を設定変更可能に定め、この補正時間を加減算して熱源機２−１の運転必要時間ＴＡを求めるようにする。熱源機２−２の運転必要時間Ｔｂについても同じく、ＴＢ＝〔ＱＴ−（ＱＲｘ＋Ｗ１×Ｔｘ）〕／Ｗ２なる式（（２）式）に補正時間を設定変更可能に定め、この補正時間を加減算して熱源機２−２の運転必要時間ＴＢを求めるようにする。
【００４８】
また、上述した実施の形態では、説明を簡単とするために熱源機を２台としたが、熱源機を１台又は３台以上としたシステムにおいても、同様にして本発明の技術を適用することが可能である。例えば、熱源機を３台としたシステムの場合、熱源機が２台運転中であったとすると、定期的に、ＴＣ＝〔ＱＴ−（ＱＲｘ＋Ｗ１×Ｔｘ＋Ｗ２×Ｔｘ）〕／Ｗ３として停止中の熱源機の運転必要時間を求め、その運転必要時間を蓄熱運転終了時刻から差し引いて停止中の熱源機の運転開始時刻を求めるようにすればよい。なお、この式において、Ｗ１、Ｗ２は運転中の熱源機の定格能力、Ｗ３は停止中の熱源機の定格能力を示す。
【図面の簡単な説明】
【００４９】
【図１】本発明に係る熱源機運転台数制御装置の一実施の形態を使用した熱源機運転台数制御システムの計装図である。
【図２】この熱源機運転台数制御システムにおける熱源機運転台数制御装置が有する熱源機運転台数制御機能を説明するためのフローチャートである。
【図３】この熱源機運転台数制御システムにおける熱源機運転台数制御装置が有する熱源機運転台数制御機能を説明するためのフローチャートである。
【図４】この熱源機運転台数制御機能に従う場合１の動作を説明するためのタイムチャートである。
【図５】この熱源機運転台数制御機能に従う場合１の動作を説明するためのタイムチャートである。
【図６】この熱源機運転台数制御機能に従う場合１の動作を説明するためのタイムチャートである。
【図７】この熱源機運転台数制御機能に従う場合１の動作を説明するためのタイムチャートである。
【図８】この熱源機運転台数制御機能に従う場合２の動作を説明するためのタイムチャートである。
【図９】この熱源機運転台数制御機能に従う場合２の動作を説明するためのタイムチャートである。
【図１０】この熱源機運転台数制御機能に従う場合２の動作を説明するためのタイムチャートである。
【図１１】この熱源機運転台数制御機能に従う場合２の動作を説明するためのタイムチャートである。
【図１２】この熱源機運転台数制御機能に従う場合２の動作を説明するためのタイムチャートである。
【図１３】この熱源機運転台数制御機能に従う場合２の動作を説明するためのタイムチャートである。
【図１４】従来の蓄熱運転の制御例を示す図である。
【符号の説明】
【００５０】
１…蓄熱槽、２−１…第１の熱源機（熱源機ＮＯ．１）、２−２…第２の熱源機（熱源機ＮＯ．２）、Ｐ１…第１のポンプ、Ｐ２…第２のポンプ、３…熱源機運転台数制御装置、４…負荷機器（空調機）、５…ポンプ、６…バルブ、７…空調機制御装置、ＱＲ…残蓄熱量、ＱＴ…蓄熱目標量、ＱＲｘ…現在の蓄熱量、ｔＳ…蓄熱運転開始時刻、ｔＥ…蓄熱運転終了時刻、ＴＡ…第１の熱源機の運転必要時間、ＴＢ…第２の熱源機の運転必要時間、ｔｓ１…第１の熱源機の運転開始時刻、ｔｓ２…第２の熱源機の運転開始時刻、Ｔｘ…蓄熱運転終了時刻までの時間、Ｗ１…第１の熱源機の定格能力、Ｗ２…第２の熱源機の定格能力、ＴＳＥ…蓄熱運転時間帯の時間幅。
【図１】
2007255724.tif 000003
【図２】
2007255724.tif 000004
【図３】
2007255724.tif 000005
【図４】
2007255724.tif 000006
【図５】
2007255724.tif 000007
【図６】
2007255724.tif 000008
【図７】
2007255724.tif 000009
【図８】
2007255724.tif 000010
【図９】
2007255724.tif 000011
【図１０】
2007255724.tif 000012
【図１１】
2007255724.tif 000013
【図１２】
2007255724.tif 000014
【図１３】
2007255724.tif 000015
【図１４】
2007255724.tif 000016